(57)【要約】【課題】ニースペースを形成することができるとともに、使い勝手がより良いキャビネットを提供する。【解決手段】本発明のキャビネットは、キャビネット本体１０と、キャビネット本体１０に対して水平に引き出し可能であり、上方が開口した収納部１００と、キャビネット本体１０と収納部１００との間に設けられ、キャビネット本体１０に対する収納部１００の位置を規制する第１レール１１０等とを備えている。第１レール１１０等は、収納部１００が最も前方に引き出される引き出し位置と、キャビネット本体１０の内部で収納部１００の前方に空間が形成されるように、収納部１００が最も後方に押し込まれる押し込み位置との間で、収納部１００をキャビネット本体１０に対して案内可能である。幕板５０、５１と前面板１０１の前面とが面一となる中間位置より後方に収納部１００を押し込むことができないようにするロック機構を備えている。【選択図】図２
2008119439.tif 000002
【特許請求の範囲】
【請求項１】
キャビネット本体と、該キャビネット本体に対して水平に引き出し可能であり、上方が開口した収納部と、該キャビネット本体と該収納部との間に設けられ、該キャビネット本体に対する該収納部の位置を規制する規制手段とを備えたキャビネットにおいて、
前記規制手段は、前記収納部が最も前方に引き出される引き出し位置と、該収納部の前端が前記キャビネット本体の前端よりも後方に位置し、該キャビネット本体の内部で該収納部の前方に空間が形成されるように、該収納部が最も後方に押し込まれる押し込み位置との間で、該収納部を該キャビネット本体に対して案内可能であり、
前記引き出し位置と前記押し込み位置との間の任意の中間位置において、該中間位置より後方に前記収納部を押し込むことができないようにするロック機構を備えていることを特徴とするキャビネット。
【請求項２】
前記ロック機構は前記収納部が前記中間位置より前方に引き出された状態で切換操作可能である請求項１記載のキャビネット。
【請求項３】
前記中間位置は前記収納部の前端が前記キャビネット本体の前面と面一となる位置である請求項１又は２記載のキャビネット。
【請求項４】
前記規制手段は、前記キャビネット本体に固定され、前記押し込み位置における前記収納部の前端位置を超えない長さで引き出し方向に延びる第１ガイド面をもつ第１ガイド部材と、
該第１ガイド面に沿って案内され、該引き出し方向に延びる第２ガイド面をもつ第２ガイド部材と、
該第２ガイド面に沿って案内され、該引き出し方向に延びる中間部材と、
該中間部材に固定され、該引き出し方向に延びる第３ガイド面をもつ第３ガイド部材とからなり、
前記収納部は該第３ガイド面によって案内されている請求項１乃至４のいずれか１項記載のキャビネット。
【請求項５】
前記キャビネット本体は前記引き出し方向の左右にキャビネット側板を有し、各該キャビネット側板の内面には左右で対をなすように前記第１ガイド部材及び前記第２ガイド部材が上下で設けられ、上下の前記第２ガイド面には左右で対をなすように前記中間部材が跨っており、両該中間部材には左右で対をなすように前記第３ガイド部材が固定されている請求項４記載のキャビネット。
【請求項６】
前記ロック機構は、前記収納部の底部手前側に水平に設けられた前部板の後方に位置し、該前部板との接続部分を中心に水平状態と垂直状態との間で回動可能な後部板と、
左右の前記中間部材の下方で渡し掛けられた渡し板に設けられ、該収納部が前記中間位置にあるときに該水平状態の該後部板の後端が当接する当り止め部とを有する請求項５記載のキャビネット。
【請求項７】
前記ロック機構は、前記キャビネット本体と前記中間部材との間に設けられ、該キャビネット本体に対して該中間部材を移動不能に固定する係合部材を有する請求項４又は５記載のキャビネット。
【請求項８】
前記第３ガイド部材は、前記収納部を前記中間部材の方向に押し込む際に生じる衝撃を緩和する緩衝機構を有する請求項７記載のキャビネット。
【発明の詳細な説明】
【技術分野】
【０００１】
本発明はキャビネットに関する。
【背景技術】
【０００２】
特許文献１の図４に従来のキャビネットが開示されている。このキャビネットは、キャビネット本体と、キャビネット本体に対して水平に引き出し可能な収納部と、キャビネット本体と収納部との間に設けられ、収納部の位置を規制するレール装置とを備えている。レール装置は、収納部が最も前方に引き出される「引き出し位置」と、最も後方に押し込まれる「押し込み位置」と、「引き出し位置」と「押し込み位置」との間の「中間位置」とで収納部を一度停止させ、さらに強い操作力を作用させると収納部が移動するように案内可能である。
【０００３】
このような構成である従来のキャビネットでは、椅子等に座ってキャビネットを使用するときは、収納部を「押し込み位置」に位置させ、膝が十分入る空間（ニースペース）をキャビネット本体の内部に形成することができる。このため、使用者は椅子等に座ったままキャビネット本体に近づいてキャビネットを使用することができる。
【０００４】
【特許文献１】実開平５−７２２３０号公報
【発明の開示】
【発明が解決しようとする課題】
【０００５】
しかし、上記従来のキャビネットは、使用者が椅子等に座らずに使用するときには、収納部を「中間位置」と「引き出し位置」との間のみで往復移動させることとなる。この状況下、収納部が「中間位置」に位置しているときに、使用者の意志にかかわらず、収納部に一定以上の操作力が作用すると、収納部が後方へ移動してしまう。例えば、キャビネット本体の前に立ってキャビネットを使用する人が膝を収納部に押し当ててしまうことにより、収納部が後方に移動してしまう場合等がある。このようにして、収納部が後方へ移動してしまうと、使用者は収納部を引き出しづらい。また、その都度、わざわざ収納部を「中間位置」に戻す手間も生じる。このため、従来のキャビネットは収納部の使い勝手が悪いものであった。
【０００６】
本発明は、上記従来の実情に鑑みてなされたものであって、ニースペースを形成することできるとともに、使い勝手がより良いキャビネットを提供することを解決すべき課題としている。
【課題を解決するための手段】
【０００７】
本発明のキャビネットは、キャビネット本体と、該キャビネット本体に対して水平に引き出し可能であり、上方が開口した収納部と、該キャビネット本体と該収納部との間に設けられ、該キャビネット本体に対する該収納部の位置を規制する規制手段とを備えたキャビネットにおいて、
前記規制手段は、前記収納部が最も前方に引き出される引き出し位置と、該収納部の前端が前記キャビネット本体の前端よりも後方に位置し、該キャビネット本体の内部で該収納部の前方に空間が形成されるように、該収納部が最も後方に押し込まれる押し込み位置との間で、該収納部を該キャビネット本体に対して案内可能であり、
前記引き出し位置と前記押し込み位置との間の任意の中間位置において、該中間位置より後方に前記収納部を押し込むことができないようにするロック機構を備えていることを特徴とする。
【０００８】
このような構成である本発明のキャビネットは、使用者が椅子等に座らずに使用するとき、収納部を「中間位置」と「引き出し位置」との間のみで往復移動させて使用する。この際、ロック機構により、収納部を「中間位置」より後方に押し込むことができないようにすることができ、使用者の意志に反して収納部が「中間位置」より後方に押し込まれてしまうことを防止することができる。また、ロック機構を解除すれば、収納部を「押し込み位置」まで押し込むことができ、椅子等に座ってキャビネットを使用する人の膝が十分に入る程度のニースペースを容易に形成することができる。
【０００９】
したがって、本発明のキャビネットは、ニースペースを形成することができるとともに、使い勝手がより良いものである。
【００１０】
本発明のキャビネットにおいて、ロック機構は、収納部が中間位置より前方に引き出された状態で切換操作可能であることが好ましい。
【００１１】
この場合、使用者は、切換操作をした後、収納部を後方に押し込めば、収納部が「中間位置」より後方に移動可能か否かを実際に確認することができ、確実にロック機構の切換を行なえるとともに、無駄な操作をしないで済む。
【００１２】
本発明のキャビネットにおいて、中間位置は収納部の前端がキャビネット本体の前面と面一となる位置であることが好ましい。
【００１３】
この場合、収納部を「中間位置」に位置させたときに、収納部とキャビネット本体との一体感が得られて外観がすっきりとする。
【００１４】
キャビネット本体は前面上部に幕板を有し、収納部の前端が幕板の前面と面一となる位置を「中間位置」とすることができる。このようにすれば、「中間位置」において、収納部とキャビネット本体との一体感が増し、外観がよりすっきりする。幕板の表面材と収納部の表面材とを同じ素材のものにすれば、収納部とキャビネット本体との一体感がさらに増して、外観がよりすっきりとしたものとなる。
【００１５】
また、上端を中心に垂直状態から奥側に回動可能であり、一定の回動角で固定可能な幕板を採用することができる。このようにすれば、収納部を「押し込み位置」に位置させてニースペースを形成させるときに、幕板を一定の回動角で固定させれば、キャビネット本体の前方を大きく開口させることができる。このようにすれば、使用者は、ニースペースへの足の出し入れをスムーズに行なうことができる。さらに、幕板の上方に固定幕板を設け、固定幕板に対して幕板を回動可能に取り付けることができる。このようにすれば、幕板が一定の回動角で固定されている状態であっても、キャビネット本体の前方からはキャビネット本体内部を見えづらくすることができる。
【００１６】
本発明のキャビネットにおいて、規制手段は、キャビネット本体に固定され、押し込み位置における収納部の前端位置を超えない長さで引き出し方向に延びる第１ガイド面をもつ第１ガイド部材と、第１ガイド面に沿って案内され、引き出し方向に延びる第２ガイド面をもつ第２ガイド部材と、第２ガイド面に沿って案内され、引き出し方向に延びる中間部材と、中間部材に固定され、引き出し方向に延びる第３ガイド面をもつ第３ガイド部材とからなり、収納部は該第３ガイド面によって案内されていることが好ましい。
【００１７】
この場合、収納部は第１ガイド部材、第２ガイド部材、中間部材及び第３ガイド部材を介してキャビネット本体に取り付けられていることとなる。このため、「引き出し位置」において、上方が開口した収納部をキャビネット本体の前方に露出するように引き出すことができ、収納部への物の出し入れを容易に行うことができる。
【００１８】
また、収納部が「押し込み位置」に位置するときには、第１ガイド部材、第２ガイド部材、中間部材及び第３ガイド部材の全てが収納部の前端位置より後方に位置する。このため、収納部を「押し込み位置」に位置させてニースペースが形成されたときに、第１ガイド部材等の規制手段が露出せず、ニースペースの内面に凹凸が生じないため、キャビネットの使用者の足等が引っかかることがなく、足の出し入れをスムーズに行なうことができる。また、この際、第１ガイド部材等の規制手段が露出していないので、すっきりとした外観となっている。
【００１９】
本発明のキャビネットにおいて、キャビネット本体は引き出し方向の左右にキャビネット側板を有し、各キャビネット側板の内面には左右で対をなすように第１ガイド部材及び第２ガイド部材が上下で設けられ、上下の第２ガイド面には左右で対をなすように中間部材が跨っており、両中間部材には左右で対をなすように第３ガイド部材が固定されていることが好ましい。
【００２０】
この場合、収納部は、左右のキャビネット側板から第１ガイド部材、第２ガイド部材、中間部材及び第３ガイド部材を介して案内されていることになる。このため、収納部がしっかりと取り付けられ、収納部を引き出したり、押し込んだりする操作をスムーズに行うことができる。
【００２１】
本発明のキャビネットにおいて、ロック機構は、収納部の底部手前側に水平に設けられた前部板の後方に位置し、前部板との接続部分を中心に水平状態と垂直状態との間で回動可能な後部板と、左右の中間部材の下方で渡し掛けられた渡し板に設けられ、収納部が中間位置にあるときに水平状態の後部板の後端が当接する当り止め部とを有することが好ましい。
【００２２】
この場合、収納部の後部板を水平状態にすると、渡し板に設けられた当り止め部に後部板の後端が当接して、収納部は中間部材に対してそれ以上の後方への移動が不能となる。この状態では、収納部と中間部材とが一体になって後方に移動するため、中間部材がキャビネット本体の背板に当接すると、中間部材及び収納部はそれ以上後方へ移動不能な「中間位置」となる。つまり、収納部が「中間位置」より後方へ押し込むことができない状態になる。こうして、収納部の後部板を回動操作するだけで容易にロック機構を切り換えることができる。また、収納部は、水平状態の後部板の上にも物を載置することができるので、多くの物を収納することが可能となる。
【００２３】
また、収納部の後部板を垂直状態にすると、ロック機構が解除される。この状態では、収納部を「押し込み位置」まで押し込むことが可能となる。そして、これにより、収納部の後方には、上下方向に貫通する退避空間が形成される。この退避空間は、キャビネット本体の上面に洗面器、手洗器及びシンクの少なくとも１種類からなる水槽と、水槽に向けて吐水可能な水栓装置とが設けられている場合、水栓装置に接続された湯水供給管及び水槽の排水口に接続された排水管を挿通する空間として使用され得る。また、収納部を「押し込み位置」に位置させたときに、収納部の前端をキャビネット本体の奥側に位置させることができ、広いニースペースを確保することができる。
【００２４】
また、収納部は、引き出し方向の左右に収納側板を有し、収納側板と後部板との間には、後部板を磁力により垂直状態に保持する磁着手段を設けてもよい。このようにすれば、後部板が容易に垂直状態に保持される。特に、収納部を引き出したり、押し込んだりしても、後部板の垂直状態を維持することができる。
【００２５】
また、収納部は、引き出し方向で位置決めされ、垂直状態の後部板の背面に位置して、後部板を垂直状態から水平状態へ回動不能にするストッパー部材を有してもよい。このようにすれば、収納部を引き出したり、押し込んだりする際の衝撃等により後部板が水平状態に回動してしまうことを防止できるため、後部板の垂直状態を確実に維持することができる。また、後部板を水平状態にして収納部を使用する場合、ストッパー部材を収納部の後方に位置させれば、収納物が収納部の後方に落下することを防止することができる。また、ストッパー部材を収納物の直後に位置させれば、収納部内で収納物が転倒することを防止することができる。
【００２６】
本発明のキャビネットにおいて、ロック機構は、キャビネット本体と中間部材との間に設けられ、キャビネット本体に対して中間部材を移動不能に固定する係合部材を有することが好ましい。
【００２７】
この場合、中間部材がキャビネット本体に対して移動不能に固定されると、中間部材に固定された第３ガイド部材の第３ガイド面に案内されている収納部は、中間部材よりも後方へ押し込むことができなくなる。つまり、この状態で収納部が「中間位置」より後方へ押し込むことができないロック状態にすることができる。また、この状態で収納部を「中間位置」と「引き出し位置」との間のみで往復移動させて使用する場合、中間部材は往復移動することなく、収納部のみが往復移動することになるため、収納部の引き出し及び押し込み操作を軽く行なうことができる。
【００２８】
また、第３ガイド部材は、収納部を中間部材の方向に押し込む際に生じる衝撃を緩和する緩衝機構を有することが好ましい。この場合、収納部を「中間位置」に押し込む場合、衝撃力が緩和され、収納部は緩やかに引き込まれて閉止される。このため、収納部を静かに確実に閉止することができる。
【発明を実施するための最良の形態】
【００２９】
以下、本発明を具体化した実施例１〜３を図面を参照しつつ説明する。
【実施例１】
【００３０】
図１に示すように、実施例１のキャビネットは、キャビネット本体１０の上方に収納付鏡２０及び照明２１を備えた洗面化粧台に適用されるものである。キャビネット本体１０の上面には、水栓装置３０が取り付けられたカウンター一体型の洗面器４０が設けられている。
【００３１】
図２〜図７に示すように、実施例１のキャビネットは、キャビネット本体１０と、キャビネット本体１０に対して水平に引き出し可能であり、上方が開口した収納部１００とを備えている。
【００３２】
キャビネット本体１０は、前面上部に固定される固定幕板５０、収納部１００の引き出し方向の左右両面に固定されるキャビネット側板１１及び後面に固定される背板１２を有している。
【００３３】
固定幕板５０の下方には、幕板用ヒンジ５２を介して、垂直状態と水平状態との間で回動可能な回動幕板５１が設けられている。幕板用ヒンジ５２は、９０度の角度を保持する機能を有している。このため、図５及び図６に示すように、回動幕板５１は、垂直状態から奥側に回動させて水平状態に保持可能である。固定幕板５０及び回動幕板５１の表面は、同じ素材の表面材で形成されている。
【００３４】
図２〜図４に示すように、左右のキャビネット側板１１の奥側内面には、収納部１００の引き出し方向に延びる第１レール１１０が２本、上下に間隔を空けて取り付けられている。各第１レール１１０は、図６に示すように、収納部１００が「押し込み位置」に位置した際に、前面板１０１の前面位置を越えない長さのものである。図２〜図４に示すように、各第１レール１１０には、第２レール１２０がスライド自在に取り付けられている。第２レール１２０は第１レール１１０と略同じ長さのものである。各上下２本の第２レール１２０に跨って、平板状の中間部材１４０がスライド自在に取り付けられている。各中間部材１４０の外側面には、第２レール１２０に係合して中間部材１４０をスライド自在に案内する第１案内部材１４１が設けられている。中間部材１４０の引き出し方向の長さは、第１レール１１０及び第２レール１２０よりも若干長い。各中間部材１４０の内面には、第３レール１３０が取り付けられている。第３レール１３０の引き出し方向の長さは中間部材１４０よりも短い。左右で対をなす第３レール１３０に収納部１００がスライド自在に取り付けられている。収納部１００の左右外側面には、第３レール１３０に係合して収納部１００をスライド自在に案内する第２案内部材１０２が設けられている。収納部１００の引き出し方向の長さは、中間部材１４０と略同じである。このように、キャビネット本体１０と収納部１００との間には、第１レール１１０、第２レール１２０、中間部材１４０及び第３レール１３０からなり、収納部１１０をキャビネット本体１０に対して案内可能な規制手段が設けられている。
【００３５】
収納部１００は、底部の手前側に固定される前部板１０３と、前部板１０３の後方に位置する後部板１０４とを有している。後部板１０４は、前部板１０３との接続部分に設けられた底板用ヒンジ１０５を介して水平状態と垂直状態との間を回動可能になっている。後部板１０４は、前部板１０３の反対側の端部に後部板１０４に対して直角方向に延びる仕切り板１０６を有している。後部板１０４の左右両側内面の２箇所には、鉄片１０９が取り付けられている。
【００３６】
また、収納部１００は、前面に固定される前面板１０１と左右側面に固定される収納側板１０７とを有している。前面板１０１の表面は、固定幕板５０及び回動幕板５１の表面と同じ素材の表面材で形成されている。左右の収納側板１０７の奥行きは、前部板１０３の後方に、後部板１０４を水平状態に位置させたときの前面板１０１の後面から仕切り板１０６の後面までの長さよりも長い。左右の収納側板１０７の内面には、磁石内蔵ストッパー１０８が取り付けられている。磁石内蔵ストッパー１０８は、後部板１０４が回動されて垂直状態に位置したときに、鉄片１０９を磁着する位置に取り付けられている。
【００３７】
左右の中間部材１４０は、下方で両中間部材１４０に渡し掛けられた渡し板１４２を有している。渡し板１４２には、上面の左右２箇所に当り止め部１４３が設けられている。当り止め部１４３は、後部板１０４が水平状態に位置したときに、当り止め部１４３の前面と仕切り板１０６の後面とが当接する位置に取り付けられている。
【００３８】
図１に示すように、水栓装置３０は、床から立ち上がり、止水栓３１ｓを有する給水管３１及び止水栓３２ｓを有する給湯管３２に接続されている。洗面器４０の排水口４１は、床から立ち上がり、排水トラップ４２を有する排水管４３に接続されている。給水管３１、給湯管３２及び排水管４３は、図７に示すようにキャビネット本体１０の後方内部で上下方向に挿通されている。
【００３９】
実施例１のキャビネットでは、図２に示すように、第２レール１２０は第１レール１１０に案内されて前方にスライドし、中間部材１４０は第２レール１２０に案内されて前方にスライドし、収納部１００は第３レール１３０に案内されて前方にスライドする。この状態で収納部１００が最も前方に引き出される「引き出し位置」となる。
【００４０】
収納部１００を「引き出し位置」にして、後部板１０４を水平状態にすると、仕切り板１０６の後面が当り止め部１４３の前面に当接する。これにより、収納部１００は中間部材１４０に対してそれ以上の後方への移動が不能となる。この状態で、収納部１００を後方へ押し込むと、収納部１００と中間部材１４０とが一体になって後方に移動する。図３に示すように、中間部材１４０の後端が背板１２の前面に当接すると、中間部材１４０及び収納部１００はそれ以上後方へ移動不能な「中間位置」となる。「中間位置」より後方に収納部１００を押し込むことができないようにするロック機構は、仕切り板１０６を有する後部板１０４及び当り止め部１４３である。収納部１００の「中間位置」では、前面板１０１、固定幕板５０及び回動幕板５１の前面が面一である。
【００４１】
後部板１０４が水平状態に位置しているときは、後部板１０４上にも収納物を載置できる。仕切り板１０６は後部板１０４上に載置された収納物が後方に転落するのを防止する。
【００４２】
図５に示すように、収納部１００を「引き出し位置」にして、後部板１０４を垂直状態にすると、鉄片１０９が磁石内蔵ストッパー１０８に磁着されて、後部板１０４は垂直状態で保持される。このため、仕切り板１０６の後面が当り止め部１４３に当接しなくなるので、収納部１００は中間部材１４０に対して後方への移動が可能となる。この状態で収納部１００を後方へ押し込むと、図６に示すように、中間部材１４０は後端が背板１２の前面に当接するまでスライドし、収納部１００は収納側板１０７の後端が背板１２の前面に当接するまでスライドする。この状態で収納部１００が最も後方に押し込まれる「押し込み位置」となる。
【００４３】
図６及び図７に示すように、後部板１０４が垂直状態に保持されると、収納部１００の後方に、後部板１０４の後面及び左右の収納側板１０７の後部内面に囲まれた退避空間ｃが形成される。この退避空間ｃは、収納部１００が「押し込み位置」に位置する際に、給水管３１、給湯管３２及び排水管４３を挿通する。
【００４４】
回動幕板５１は、使用者が収納部１００を「中間位置」と「引き出し位置」との間のみで往復移動させてキャビネットを使用する際には、垂直状態に位置させる。また、使用者がニースペースを形成するために収納部１００を「押し込み位置」に位置させてキャビネットを使用する際には、回動幕板５１は後方に回動して水平状態に保持させる。
【００４５】
このような構成である実施例１のキャビネットにおいて、使用者が椅子等に座らずに使用するとき、収納部１００を「中間位置」と「引き出し位置」との間のみで往復移動させて使用するため、ロック機構により、収納部１００を「中間位置」より後方に押し込むことができないようにすることができる。この状態では、使用者の意志に反して収納部１００が「中間位置」より後方に押し込まれてしまうことを防止することができる。また、ロック機構を解除すれば、収納部１００を「押し込み位置」まで押し込むことができ、椅子等に座ってキャビネットを使用する人の膝が十分に入る程度のニースペースを容易に形成することができる。
【００４６】
したがって、実施例１のキャビネットは、ニースペースを形成することができるとともに、使い勝手がより良いものである。
【００４７】
また、収納部１０を「引き出し位置」にして、後部板１０４を回動させてロック機構の切替え操作が行なえるので、使用者は、切換操作をした後、収納部１００を後方に押し込めば、収納部１００が「中間位置」より後方に移動可能か否かを実際に確認することができ、確実にロック機構の切換を行なえるとともに、無駄な操作をしないで済む。
【００４８】
また、収納部１００の「中間位置」は、前面板１０１、固定幕板５０及び回動幕板５１の前面と面一になる位置とされ、それらの表面材は同じ素材である。このため、収納部１００とキャビネット本体１０との一体感が得られて外観がすっきりとしたものになっている。
【００４９】
また、収納部１００を「押し込み位置」にしてニースペースを形成する際、回動幕板５１を水平状態に保持して、キャビネット本体１０の前方を大きく開口させることができる。このため、使用者は、ニースペースへの足の出し入れをスムーズに行うことができる。さらに、固定幕板５０がキャビネット本体１０の前面上部に固定されているので、回動幕板５１を水平状態に保持した場合でも、キャビネット本体１０の前方からは洗面器４０の下面が見えづらくなっている。
【００５０】
また、収納部１００は、「引き出し位置」において、収納部１００の上方開口をキャビネット本体１０の前方に露出するように引き出すことができ、収納部１００への物の出し入れを容易に行うことができる。
【００５１】
また、収納部１００を「押し込み位置」に位置させてニースペースを形成する際、第１レール１１０等の規制手段が収納部１００の前面板１０１より後方に位置するため、第１レール１１０等の規制手段が露出せず、ニースペースの内面に凹凸が生じない。このため、使用者の足が引っかかることがなく、足の出し入れがスムーズに行うことができる。また、この際、第１レール１１０等の規制手段が露出していないので、すっきりとした外観となっている。
【００５２】
また、収納部１００は第１レール１１０等の規制手段を介して案内されているため、収納部１００がしっかりと取り付けられ、収納部１００を引き出したり、押し込んだりする操作をスムーズに行うことができる。
【００５３】
また、後部板１０４を水平状態及び垂直状態に回動操作するのみで容易にロック機構を切り替えることができる。さらに、後部板１０４を水平状態に位置させると、前部板１０３及び後部板１０４に物を載置することができるので、多くの物を収納することが可能となる。
【００５４】
また、後部板１０４を垂直状態にして、収納部１００を「押し込み位置」まで押し込むと、収納部１００の後方に形成される退避空間ｃに湯水供給管３１、３２及び排水管４３が挿通され、収納部１００の前面板１０１をキャビネット本体１０の奥側に位置させることができ、広いニースペースを確保することができる。
【００５５】
また、後部板１０４は、磁石内蔵ストッパー１０８によって、容易に垂直状態に保持される。特に、収納部１００を引き出したり、押し込んだりしても、後部板１０４の垂直状態を維持することができる。
【実施例２】
【００５６】
図８〜図１０に示すように、実施例２のキャビネットでは、左右のキャビネット側板１１の間に架設されている桟木１３の左右上面に第１係合部材６１が取り付けられている。第１係合部材６１は、本体６１ａとピン６１ｂとを有している。本体６１ａは、ピン６１ｂが貫通され、ピン６１ｂの先端をキャビネット側板１１の方向に突出可能に収納している。本体６１ａから突出しているピン６１ｂの後端を押圧することにより、ピン６１ｂの先端が本体６１ａから突出する。突出したピン６１ｂの先端は本体６１ａに設けられた復帰ボタン６１ｃにより本体６１ａ内に収納される。
【００５７】
中間部材２４０は、内面の後方下端に、第２係合部材６２が取り付けられている。第２係合部材６２は凹部６２ａを有し、凹部６２ａは第１係合部材６１から突出したピン６１ｂの一端が挿入可能とされている。第１係合部材６１と第２係合部材６２とにより係合部材を構成している。
【００５８】
第３レール２３０は、中間部材２４０に対して収納部２００を押し込む際に生じる衝撃を緩和する緩衝機構２３１を内蔵している。
【００５９】
収納部２００は、底部の手前側に固定される前部板２０３と、前部板２０３の後方中央部に位置する後部板２０４とを有している。後部板２０４の上面には、取っ手２０４ｔが取り付けられている。収納部２００の左右の側部には、引き出し方向に延びる案内部材２０１が設けられている。左右の案内部材２０１には、引き出し方向にスライド可能なストッパー部材２０２が設けられている。図１０に示すように、垂直状態の後部板２０４の背面にストッパー部材２０２を位置させ、後部板１０４を垂直状態から水平状態へ回動不能にすることができるようになっている。他の構成は実施例１と同様である。このため、同一の構成については、同一の符号を付し、詳細な説明は省略する。
【００６０】
このような構成である実施例２のキャビネットにおいて、第１係合部材６１のピン６１ｂの先端が突出し、第２係合部材６２の凹部にピン６１ｂを挿入することにより、中間部材２４０がキャビネット本体１０に対して移動不能に固定される。この状態で収納部２００を「中間位置」より後方へ押し込むことができないロック状態にすることができる。また、この状態で収納部２００を「中間位置」と「引き出し位置」との間のみで往復移動させて使用する場合、中間部材２４０が往復移動することなく、収納部２００のみが往復移動することになるため、収納部２００の引き出し及び押し込み操作を軽く行なうことができる。
【００６１】
また、収納部２００を「中間位置」に押し込む場合、第３レール２３０に内蔵された緩衝機構２３１により、その際の衝撃力が緩和され、収納部２００は緩やかに引き込まれて閉止される。このため、収納部２００を静かに確実に閉止することができる。
【００６２】
また、後部板２０４を垂直状態にして収納部２００を使用する場合、取っ手２０４ｔを把持して後部板２０４を垂直状態に回動させた後、ストッパー部材２０２を後部板２０４の背面に位置するように前方へスライドさせる。このようにすれば、収納部２００を引き出したり、押し込んだりする際等に生じる衝撃により後部板２０４が水平状態に回動してしまうことを防止できるため、後部板２０４の垂直状態を確実に維持することができる。
【００６３】
また、後部板２０４を水平状態にして収納部２００を使用する場合、ストッパー部材２０２を収納部２００の後方に位置させれば、収納物が収納部２００の後方に落下することを防止することができる。また、ストッパー部材２０２を収納物の直後に位置させれば、収納部２００内で収納物が転倒することを防止することができる。
【００６４】
したがって、実施例２のキャビネットも、実施例１のキャビネットと同様に、本発明の作用効果を奏することができる。
【００６５】
実施例２においては、キャビネット本体１０に対して中間部材２４０を移動不能に固定する係合部材として、桟木１３に取り付けられた第１係合部材６１と中間部材２４０に取り付けられた第２係合部材６２とからなるものを採用している。この係合部材の変形例として、第２係合部材６２を中間部材２４０に取り付けずに、第１係合部材６１から突出したピン６１ｂの一端を直接、中間部材２４０の内面に当接させる構成にしても良い。この構成からなる係合部材では、ピン６１ｂを第２係合部材６２の凹部６２ａに挿入できるようにピン第２係合部材の取付位置を調整する必要がなくなり、ピン６１ｂの一端と中間部材２４０の内面との間に生じる摩擦力により、ピン６１ｂの一端が中間部材２４の内面に係合することになるため、キャビネット本体１０に対して中間部材２４０を容易に移動不能に固定することができる。また、第２係合部材６２が不要となるため、部品点数を少なくすることができる。
【実施例３】
【００６６】
図１１に示すように、実施例３のキャビネットでは、第３係合部材７１が中間部材３４０の上端に設けられている。第３係合部材７１は、フック部７１ａとレバー部７１ｂとを有している。レバー部７１ｂは、中間部材３４０の上部に接続された取付片３４１に取り付けられ、上端を支点に上下方向に回動可能である。また、第４係合部材７２がキャビネット側板１１の内面に設けられている。第４係合部材７２は、先端を上方に屈曲した係止片７２ａを有している。第３係合部材と第４係合部材とで係合部材を構成している。
【００６７】
実施例２のキャビネットでは、第１係合部材６１と第２係合部材６２との係合によりキャビネット本体１０に対して中間部材２４０を移動不能に固定するのに対して、実施例３のキャビネットでは、第３係合部材７１と第４係合部材７２との係合によりキャビネット本体１０に対して中間部材３４０を移動不能に固定する。他の構成は実施例２のキャビネットと同様であるので、説明は省略する。
【００６８】
このような構成である実施例３のキャビネットにおいて、第３係合部材７１のフック部７１ａを第４係合部材７２の係止片７２に係止し、第３係合部材７１のレバー部７１ｂを押下げれば、中間部材３４０がキャビネット本体１０に対して移動不能に固定される。この状態で収納部２００を「中間位置」より後方へ押し込むことができないロック状態にすることができる。
【００６９】
したがって、実施例３のキャビネットも、実施例１のキャビネットと同様に、本発明の作用効果を奏することができる。
【００７０】
以上において、本発明を実施例１〜３に即して説明したが、本発明は上記実施例１〜３に制限されるものではなく、その趣旨を逸脱しない範囲で適宜変更して適用できることは言うまでもない。
【産業上の利用可能性】
【００７１】
本発明は洗面、手洗又はキッチン用のキャビネットに利用可能である。
【図面の簡単な説明】
【００７２】
【図１】実施例１の洗面化粧台の一部切欠き正面図である。
【図２】実施例１の収納部がロック状態で引き出し位置に位置する側面断面図である。
【図３】実施例１の収納部がロック状態で中間位置に位置する側面断面図である。
【図４】実施例１の収納部がロック状態で中間位置に位置する平面断面図である。
【図５】実施例１の収納部がロック解除状態で引き出し位置に位置する側面断面図である。
【図６】実施例１の収納部がロック解除状態で押し込み位置に位置する側面断面図である。
【図７】実施例１の洗面化粧台の側面断面図である。
【図８】実施例２の収納部がロック状態で引き出し位置に位置する側面断面図である。
【図９】実施例２の収納部がロック状態で中間位置に位置する平面断面図である。
【図１０】実施例２の収納部がロック解除状態で押し込み位置に位置する側面断面図である。
【図１１】実施例３の収納部がロック状態で引き出し位置に位置する側面断面図である。
【符号の説明】
【００７３】
１０…キャビネット本体
２０…収納付鏡
３０…水栓装置
４０…（カウンター一体型の）洗面器
５０…固定幕板
５１…回動幕板
６１…第１係合部材
６２…第２係合部材
７１…第３係合部材
７２…第４係合部材
１００、２００…収納部
１０１…前面板
１０３、２０３…前部板
１０４、２０４…後部板
１０７…収納側板
１０８…磁石内蔵ストッパー
１１０…第１レール
１２０…第２レール
１３０、２３０…第３レール
１４０、２４０、３４０…中間部材
１４２…渡し板
１４３…当り止め部
２０２…ストッパー部材
２３１…緩衝機構
【図１】
2008119439.tif 000003
【図２】
2008119439.tif 000004
【図３】
2008119439.tif 000005
【図４】
2008119439.tif 000006
【図５】
2008119439.tif 000007
【図６】
2008119439.tif 000008
【図７】
2008119439.tif 000009
【図８】
2008119439.tif 000010
【図９】
2008119439.tif 000011
【図１０】
2008119439.tif 000012
【図１１】
2008119439.tif 000013